(57)【要約】      （修正有）【課題】レジスト部近傍でジャムが発生しても引出し部の着脱動作に障害をきたさない構造の画像形成装置を提供する。【解決手段】レジストローラ、２次転写部、搬送部、定着装置、排紙ローラが一体で着脱可能な引出し部を設けた画像形成装置において、手差し給紙ユニット部の前側板２４及び画像形成装置本体の前側板２５にガイドとして切り欠き部２４ａ、２５ａを設けた構成とする。切り欠き部２４ａ、２５ａを設けたことにより、レジスト部近傍部の弾性シート部の領域からはみ出した用紙（Ｐ’）が、手差し給紙ユニット部の前側の側板２４及び画像形成装置本体の前側板２５に引っ掛かって引出し部の操作が出来なくなる不具合が防がれる。【選択図】図７
2009042276.tif 000002
【特許請求の範囲】
【請求項１】
少なくともレジスト部が用紙の搬送方向と直交する方向に装置本体に対して着脱可能に構成された画像形成装置において、前記レジスト部に詰まった用紙が装置本体側に進入するのを防ぐ用紙遮蔽部材を設けたことを特徴とする画像形成装置。
【請求項２】
前記用紙遮蔽部材は、装置本体側に設けられていることを特徴とする請求項１記載の画像形成装置。
【請求項３】
前記用紙遮蔽部材は、前記レジスト部近傍に設けられてレジスト部とともに着脱されることを特徴とする請求項１記載の画像形成装置。
【請求項４】
請求項１から３のいずれかに記載の画像形成装置において、前記用紙遮蔽部材を、前記レジスト部近傍に設けられた給紙ユニットの用紙搬送ガイドの近傍に設けたことを特徴とする画像形成装置。
【請求項５】
請求項４記載の画像形成装置において、前記用紙遮蔽部材と前記給紙ユニットの用紙搬送ガイドとを同一部材で構成したことを特徴とする画像形成装置。
【請求項６】
請求項１から５のいずれかに記載の画像形成装置において、前記用紙遮蔽部材が金属からなることを特徴とする画像形成装置。
【請求項７】
請求項６記載の画像形成装置において、前記用紙遮蔽部材を板状部材から構成し、該板状部材の板厚を０．６〜１．６mmとしたことを特徴とする画像形成装置。
【請求項８】
請求項１から７のいずれかに記載の画像形成装置において、前記レジスト部に詰まった用紙がレジスト部とともに装置本体から引き出される際に、該用紙と装置本体とが干渉する部分の装置本体側に前記干渉を緩和する切欠部を設けたることを特徴とする画像形成装置。
【発明の詳細な説明】
【技術分野】
【０００１】
本発明は画像形成装置に関し、詳細にはシート搬送系を改良したものに関する。
【背景技術】
【０００２】
特許文献１には、装置の壁際設置が可能で、しかも、かかる壁際設置が可能であるにもかかわらず、装置全体の小型化やシートの円滑な搬送やジャム発生時の除去作業の容易化等が可能であり、その小型化やジャム処理能率を犠牲にすることなく安定して高品質の画像形成を行うことが出来る信頼性の高い画像形成装置を提供するために、第１搬送手段、レジスト手段及び主搬送手段を一体にしたユニットを装置本体から装置本体の正面に引き出す引出手段とを有し、かつ、そのユニットは、第１搬送手段、レジスト手段及び主搬送手段とをフレームに設けて成り、引出手段が装置本体と、フレームとに設けられ装置本体の筐体に対して前後方向にフレームを滑走させるレールであり、レジスト手段と感光体との位置決めは、ユニットに設けられたピンと、装置本体の筐体にも設けられた穴との嵌合で位置決めを行う画像形成装置が開示されている。
【０００３】
【特許文献１】特開２００６−２９３３９７
【発明の開示】
【発明が解決しようとする課題】
【０００４】
特許文献１に開示されているような従来の画像形成装置では、レジスト部、２次転写部、搬送部、定着装置、排紙部が一体で着脱可能な引出し部と、手差し給紙ユニット部を有する構成において、レジスト部近傍でジャムが発生した場合、中継ガイド部がソレノイドの力で自動的に開き、この開いた部分に転写紙が収容されるようになっている。
【０００５】
しかしながら、転写紙が大サイズ、もしくは厚紙の場合、そのような転写紙を転写紙収容部だけでは収容しきれず、レジスト部近傍部の弾性シート部の領域からはみ出した転写紙が、手差し給紙ユニットの前側の側板及び画像形成装置本体の前側板に引掛り、引出し部の操作が出来なくなることがあるという不具合が発生し得る。
【０００６】
そこで、本発明は、レジスト部近傍でジャムが発生しても引出し部の着脱動作に障害をきたさない構造を提供することを目的とする。
【課題を解決するための手段】
【０００７】
本発明の画像形成装置のうち請求項１に係るものは、少なくともレジスト部が用紙の搬送方向と直交する方向に装置本体に対して着脱可能に構成された画像形成装置において、前記レジスト部に詰まった用紙が装置本体側に進入するのを防ぐ用紙遮蔽部材を設けたことを特徴とする。
【０００８】
同請求項２に係るものは、請求項１の画像形成装置において、前記用紙遮蔽部材は、装置本体側に設けられていることを特徴とする。
【０００９】
同請求項３に係るものは、請求項１の画像形成装置において、前記用紙遮蔽部材は、前記レジスト部近傍に設けられてレジスト部とともに着脱されることを特徴とする。
【００１０】
同請求項４に係るものは、請求項１から３のいずれかに記載の画像形成装置において、前記用紙遮蔽部材を、前記レジスト部近傍に設けられた給紙ユニットの用紙搬送ガイドの近傍に設けたことを特徴とする。
【００１１】
同請求項５に係るものは、請求項４記載の画像形成装置において、前記用紙遮蔽部材と前記給紙ユニットの用紙搬送ガイドとを同一部材で構成したことを特徴とする。
【００１２】
同請求項６に係るものは、請求項１から５のいずれかに記載の画像形成装置において、前記用紙遮蔽部材が金属からなることを特徴とする。
【００１３】
同請求項７に係るものは、請求項６記載の画像形成装置において、前記用紙遮蔽部材を板状部材から構成し、該板状部材の板厚を０．６〜１．６mmとしたことを特徴とする。
【００１４】
同請求項８に係るものは、請求項１から７のいずれかに記載の画像形成装置において、前記レジスト部に詰まった用紙がレジスト部とともに装置本体から引き出される際に、該用紙と装置本体とが干渉する部分の装置本体側に前記干渉を緩和する切欠部を設けたることを特徴とする。
【発明の効果】
【００１５】
本発明によれば、レジスト部、２次転写部、搬送部、定着装置、排紙部が一体で着脱可能な引出し部と、手差し給紙ユニット部を有する構成の画像形成装置において、引出し部に隣接する画像形成装置本体の前側板にガイド部材を設けたので、レジスト部近傍部の弾性シート部の領域から、食み出した転写紙が、手差し給紙ユニットの前側の側板、及び本体前側板に引掛り、引出し部の操作が出来なくなる障害を防ぐことができる。
【発明を実施するための最良の形態】
【００１６】
以下本発明を実施するための最良の形態を、図に示す実施例を参照して説明する。
【実施例１】
【００１７】
図１は本発明の実施対象となる画像形成装置の一例であるカラー画像形成装置を示す概略断面図である。この装置では、略中央に画像形成装部１が配置され、この画像形成部１のすぐ下方に給紙部２が配置されている。給紙部２は各段に給紙カセット２１を備えているが、必要に応じ別の給紙装置２２を増設することができる。画像形成部１の上方は、原稿を読み取る読取部３が配設されている。画像形成部１の左側に排紙収納部４として形成され、画像形成された記録媒体（以下、用紙と言う）が排紙収納される。
【００１８】
画像形成部１では、ベルト状をした中間転写ベルト５の周囲に、２つの作像部６・・・が配置されている。おのおのの作像部６では、ドラム状をした感光体６１の周囲に、感光体６１の表面に帯電処理を行う帯電装置６２、画像情報を感光体表面にレーザ光で照射する露光装置７、感光体６１の表面に露光されて形成された静電潜像を可視化する２つの現像装置６３、及び、感光体６１の残留するトナーを除去回収するクリーニング装置６４が配置されており、作像プロセスとしては、中間転写ベルト５が、回転して１つのカラー画像を形成している。
【００１９】
本装置では、最初にイエロー（Ｙ）の作像部で、イエロー（Ｙ）のトナーで現像し、中間転写ベルトに転写する。次に、マゼンタ（Ｍ）の作像部で、マゼンタのトナーで現像し、中間転写ベルトに転写する。次に、シアン（Ｃ）の作像部で、シアンのトナーで現像し、中間転写ベルトに転写し、最後に、ブラック（ＢＫ）のトナーで現像し、中間転写ベルトに転写する。
【００２０】
中間転写ベルト５上に転写された４色のトナー像を用紙に転写するため転写装置を備え、転写後に中間転写ベルト５の表面に残留するトナーを除去回収するために中間転写クリーニング装置がそれぞれ配置されている。
【００２１】
トナー像を得た用紙上のトナーを定着処理する定着装置８が画像形成手段下流側（用紙の搬送経路での下流側）に配置されている。そして定着装置８を通過した用紙は排紙ローラ４１により排紙収納部４に排紙収納される。
【００２２】
両面印刷時は、分岐部９２にて用紙の搬送路が分岐され、両面装置９３を経由して用紙が反転され、レジスト部を構成するレジストローラ２３で用紙のスキューが補正され、裏面画像形成動作に至る。
【００２３】
給紙部２においては、給紙カセット２２に未使用の用紙が収容されており、回動可能に支持された底板が最上の用紙をピックアップローラが当接可能な位置まで上昇する。給紙ローラの回転により、最上紙は給紙カセットから送り出され、レジストローラ２３へと搬送される。レジストローラ２３は用紙の搬送を一時止め、感光体６１表面のトナー像と用紙の先端との位置関係が所定の位置になるよう、タイミングをとって回転が開始するよう、制御される。
【００２４】
読取部３では、コンタクトガラス３１上に載置される図示しない原稿の読み取り走査を行うために、原稿照明用光源とミラーよりなる読み取り走行体３２、３３が往復移動する。この読み取り走行体３２、３３により走査された画像情報は、レンズ３４の後方に設置されているＣＣＤ３５に画像信号として読み込まれる。この読み込まれた画像信号は、デジタル化され画像処理される。画像処理された信号に基づいて、露光装置７内の図示しないレーザダイオードＬＤの発光により感光体６１の表面に静電潜像が形成される。レーザダイオードＬＤからの光信号は、公知のポリゴンミラーやレンズを介して感光体６１の表面に至る。読取部３の上方に、原稿を自動的にコンタクトガラス３１上に搬送する自動原稿搬送装置３が取り付けられるようになっている。
【００２５】
本例のカラー画像形成装置は、上述したように、原稿を走査して読み取り、デジタル化して用紙に複写する、いわゆるデジタルカラー複写機としての機能の他に、図示しない制御装置により、原稿の画像情報を遠隔地と授受するファクシミリの機能や、コンピューターが扱う画像情報を用紙上に印刷するいわゆるプリンタの機能を有する多機能の画像形成装置として構成することができる。その場合、どの機能によって形成された画像もすべて一つの排紙収納部４に排出、収納される。
【００２６】
なお、分岐部９２にて分岐され、両面装置９３を経由して用紙を反転させ、反転排紙ローラを経由して排紙ローラ４１から排出された場合、排紙収納部４にスタックされた用紙は画像面が下面になった状態であり、複写、ファクシミリ、プリンタで扱う原稿の処理順が１ページから行われて印刷されても、排紙収納部４から取り出したとき、１ページ目が最上になっており、改めてページを揃えるなどの作業から開放される。
【００２７】
本発明は、上述のように、レジストローラ２３近傍でジャムが発生しても引出し部（図２のＨ）の着脱動作に障害をきたさないことを目的とする。すなわち、レジストローラ２３、２次転写部５１、搬送部５２、定着装置８、排紙ローラ４１が一体で着脱可能な引出し部（図２に符号Ｈで示す）と、手差し給紙ユニット部（図１に符号Ａで示す）を有する構成において、レジストローラ２３近傍でジャムが発生した場合、中継ガイド部（図３に符号Ｘで示す。なお図３中のハッチングを付した部分が引出し部Ｈである。）がソレノイドの力で自動的に開く。これも既述のように、この開いた部分に用紙が収容される（図４中に符号Ｐで示す）が、用紙が大サイズや厚紙の場合、転写紙収容部だけでは収容しきれないで、レジスト部近傍部の弾性シート部の領域からはみ出し、はみ出した用紙が手差し給紙ユニットの前側の側板及び画像形成装置本体の前側板に引掛り、引出し部Ｈの操作が出来なくなることがあり得る（図５中に符号Ｐ’で示すが、図示のように、図の右側へ用紙が突出している）。
【００２８】
そこで図６、図７に示すように、本発明の実施例１では、レジスト部近傍でジャムが発生しても引出し部の着脱動作に障害をきたさないこと、及び厚紙時の破損防止を図るために、レジストローラ２３、２次転写部５１、搬送部５３、定着装置８、排紙ローラ４１が一体で着脱可能な引出し部Ｈを設けた画像形成装置において、手差し給紙ユニット部Ａの前側板２４及び画像形成装置本体の前側板２５にガイドとして切り欠き部２４ａ、２５ａを設けた構成とする。なお図７では手差し給紙ユニット部Ａの前側板２４は既に切り欠いた状態で示してあり、画像形成装置本体の前側板２５はきり各部分にハッチングを施して示してある。
【００２９】
手差し給紙ユニット部Ａの前側板２４の切り欠き部２４ａの形状は、できるだけ大きい方がよいが、手差し給紙ユニット部Ａの強度等のバランスを考慮して定めることが好ましい。また画像形成装置本体の前側板２５の切り欠き部２５ａの形状は、引掛り対策としてはできるだけ大きい方が良いが、画像形成装置本体の前側板２５に設けている他の機構部品とのバランスにより決定することが好ましい。
【００３０】
本実施例の動作を説明する。切り欠き部２４ａ、２５ａを設けて搬送ガイド２８をいわば延長したことにより、ジャムした用紙が搬送ガイド２８の下側の空間に入り込まないようにし、レジストローラ２３近傍部の弾性シート部の領域からはみ出した用紙（図５に符号Ｐ’で示すもの）が、手差し給紙ユニット部Ａの前側の側板２４及び画像形成装置本体の前側板２５に引っ掛かって引出し部Ｈの操作が出来なくなる不具合が防がれる。なお図７の例では搬送ガイド２８を前側板２４の切り欠き部２４ａよりも下方へ延設し、遮蔽部材を兼用させているが、搬送ガイド２８と遮蔽部材とは別部材で攻勢してもよいことは勿論である。
【００３１】
比較のために図８に従来の例の図５相当の斜視図を示す。レジストローラ２３近傍部の弾性シート部の領域からはみ出した用紙（Ｐ’）が、手差し給紙ユニット部Ａの前側の側板２４及び画像形成装置本体の前側板２５に引っ掛かって引出し部Ｈの操作が出来なくなっている様子がよく分かるであろう。
【実施例２】
【００３２】
図９は本発明の実施例２を示す。本実施例は、大サイズ紙においても、レジスト部近傍でジャムが発生しても引出し部の着脱動作に障害をきたさないことを目的とする。そのため、手差しユニット部Ａにおいて、搬送ガイド部の下部に転写紙遮蔽部材２６を設けた構成としてある。
【００３３】
本実施例の動作を説明する。搬送ガイド部に下部に転写紙遮蔽部材２６を設けたので、レジスト部近傍部の弾性シート部の領域から、食み出した用紙のループが大きくなっても（図９に符号Ｐで示す）、遮蔽物２６の影響で用紙Ｐは、矢印方向に逃げ、手差し前側板に引掛る障害、及び引出し部Ｈの操作により画像系瀬装置本体の前側板２５に引掛る障害を防ぐことができる。なお転写紙遮蔽部材２６として、手差しユニット部に０．１８８ｍｍ厚のポリエチレンテレフタレート（ＰＥＴ）マイラ（商標）を貼付している。なお、「マイラ」は米国デュポン社製のポリエチレンテレフタラートフイルムの商品名として周知であり、きわめて薄いフィルム材であり、透明で不燃性である。電気絶縁性が良く酸に侵されにくいなどの特徴をもつものであり、本願明細書においては米国デュポン社製のポリエチレンテレフタラートフイルムのみならず同等の性能、性状を有するものをも含んで「マイラ」と言う。
【００３４】
本実施例では、転写紙遮蔽部材２６を設けたので、レジスト部近傍部の弾性シート部の領域から、食み出した用紙Ｐのループが大きくなっても、遮蔽物の影響で用紙Ｐの引掛りによる障害を防ぐことができる。
【実施例３】
【００３５】
図１０は本発明の実施例３を示す。本実施例は、用紙が厚紙であって、レジスト部近傍でジャムが発生しても引出し部Ｈの着脱動作に障害をきたさないようにすることを目的としている。
【００３６】
そのため、上述の転写材遮蔽部材２６に板厚０．６ｍｍ以上の金属部材を用いたとした構成となっている。このため、用紙の厚みが増して引掛り力が増しても転写材遮蔽部材２６の剛性が高いため、転写材遮蔽部材２６がたわむことなく、用紙の引掛りによる障害を防ぐことができる。
【００３７】
なお、この実施例の転写材遮蔽部材２６は、例えば板厚１．０ｍｍのＳＥＣＣの板金と搬送ガイド板をバーリングカシメでカシメて構成することができる。
【実施例４】
【００３８】
図１１は本発明の実施例２を示す。本実施例は、安価な構成で引出し部Ｈの着脱動作に障害をきたさない構造とすることを目的としている。そのため本実施例では、搬送ガイド部に転写紙遮蔽部２６の機能を兼ねる部分（転写紙遮蔽物）２７を設けた構成としてある。そのため、部品点数及びカシメ工程を減らすこともでき、コストダウンも可能になっている。なお図１１のハッチング部分が、搬送ガイドと転写遮蔽部を一体化した形状部分である。一点鎖線の部分２７ａは、従来までの搬送ガイド形状であり、それより下の部分が本実施例で追加した遮蔽部の形状となっている。
【００３９】
なお、転写遮蔽部材を遮蔽部材を板厚０．６ｍｍ以上の金属部材とすれば、用紙の厚みが増して引掛り力が増しても転写紙遮蔽物２７の剛性が高いため、転写紙遮蔽物２７がたわむことなく用紙の引掛りによる障害を防ぐことができる。
【実施例５】
【００４０】
なお図示は省略するが、本発明を電子写真複写機、レーザービームプリンタ、ファクシミリ装置に実施した場合、電子写真複写機においてレジスト部近傍部の弾性シート部の領域から用紙の引掛りによる障害を防ぐよう動作し、用紙の引掛りによる障害を防ぐことができる。
【図面の簡単な説明】
【００４１】
【図１】本発明の実施対象となる画像形成装置の一例であるカラー画像形成装置を示す概略断面図
【図２】引出し部の着脱動作を示す斜視図
【図３】引出し部の通常引出し状態を示す側面図
【図４】同ジャム発生時の側面図
【図５】同大サイズ紙や厚紙での引出し状態の側面図
【図６】本発明の実施例１を示す側面図
【図７】本発明の実施例１を示す斜視図
【図８】比較のために従来の例を示す斜視図
【図９】本発明の実施例２を示す側面図
【図１０】本発明の実施例３を示す側面図
【図１１】本発明の実施例４を示す斜視図
【符号の説明】
【００４２】
１：画像形成部
２：給紙部
３：読取部
４：排紙収納部
５：中間転写ベルト
６：作像部
７：露光装置
８：定着装置
２１：給紙カセット
２２：給紙装置
２３：レジストローラ
２４：手差し給紙ユニット部の前側板
２４ａ：切り欠き部
２５：画像形成装置本体の前側板
２５ａ：切り欠き部
２６：転写紙遮蔽部材
２７：転写紙遮蔽物
２８：搬送ガイド部
３１：コンタクトガラス
３２、３３：読み取り走行体
３４：レンズ
３５：ＣＣＤ
４１：排紙ローラ
５１：２次転写部
５２：搬送部
６１：感光体
６２：帯電装置
６３：現像装置
６４：クリーニング装置
９２：分岐部
９３：両面装置
Ａ：手差し給紙ユニット部
Ｈ：引出し部
ＬＤ：レーザダイオード
Ｘ：中継ガイド部
Ｐ、Ｐ’：用紙
【図１】
2009042276.tif 000003
【図２】
2009042276.tif 000004
【図３】
2009042276.tif 000005
【図４】
2009042276.tif 000006
【図５】
2009042276.tif 000007
【図６】
2009042276.tif 000008
【図７】
2009042276.tif 000009
【図８】
2009042276.tif 000010
【図９】
2009042276.tif 000011
【図１０】
2009042276.tif 000012
【図１１】
2009042276.tif 000013